(57)【要約】【課題】音声制御変色の発光ダイオード電球を提供する。【解決手段】セラミック基板により、複数の発光ダイオードチップと制御回路とを、一体に統合することにより、製品体積の縮小と放熱の向上との効果が得られ、音声検知により、発光ダイオードチップの発光変換を制御することにより、灯光が、音楽の律動や強さの変化に従って、多様な変化になり、より良い雰囲気を創出できる音声制御変色の発光ダイオード電球である。【選択図】図１Ｂ
0003118365.tif 000002
【実用新案登録請求の範囲】
【請求項１】
灯座と当該灯座を覆う灯笠が含有される電球本体と、
当該灯座の中に設けられるセラミック基板と、 
当該セラミック基板の正面に設けられ、それぞれ異なる色光を発光する複数の発光ダイオードチップと、
当該発光ダイオードチップに覆われ、当該異なる色光を混合して散乱し、単色光にし、そして、当該灯笠から外部へ発光する散乱フィルムと、
当該灯座に設けられ、外部の音声信号を検知して、検知信号を生成する音声検知装置と、
当該セラミック基板の裏面に設置され、当該発光ダイオードチップと当該音声検知装置に電気的に接続され、当該検知信号を受信して、当該発光ダイオードチップの発光強度を制御し、当該単色光の強さと色変換を調整する制御回路と、
が含有されることを特徴とする音声制御変色の発光ダイオード電球。
【請求項２】
当該発光ダイオードチップの数が三つであることを特徴とする請求項１に記載の音声制御変色の発光ダイオード電球。
【請求項３】
当該発光ダイオードチップは、それぞれレッド（Ｒ）とグリーン（Ｇ）とブルー（Ｂ）の発光ダイオードチップであることを特徴とする請求項２に記載の音声制御変色の発光ダイオード電球。
【請求項４】
更に、当該制御回路に接続され、外部の赤外線信号を受信して制御信号を当該制御回路へ送信する赤外線装置が含有されることを特徴とする請求項１に記載の音声制御変色の発光ダイオード電球。
【請求項５】
当該制御回路は、当該制御信号に基づいて当該発光ダイオードチップの発光強度を調整することを特徴とする請求項４に記載の音声制御変色の発光ダイオード電球。
【請求項６】
当該制御回路は、当該制御信号に基づいて当該検知信号を受信するかを決定することを特徴とする請求項４に記載の音声制御変色の発光ダイオード電球。
【請求項７】
当該制御回路は、当該検知信号を電気信号に変換し、当該電気信号を変化することにより当該発光ダイオードチップの発光強度を制御することを特徴とする請求項１に記載の音声制御変色の発光ダイオード電球。
【請求項８】
当該制御回路は、当該電気信号を安定化する定電流回路が含有されることを特徴とする請求項１に記載の音声制御変色の発光ダイオード電球。
【請求項９】
当該制御回路は、更に、電源回路と信号増幅回路とが含有され、当該電源回路が、当該信号増幅回路に接続され、当該音声検知装置が、当該信号増幅回路と当該定電流回路に接続され、また、当該定電流回路が、当該発光ダイオードチップに接続されることを特徴とする請求項８に記載の音声制御変色の発光ダイオード電球。
【請求項１０】
当該制御回路は、更に、過電流保護回路が含有され、当該過電流保護回路が、当該信号増幅回路に接続されることを特徴とする請求項９に記載の音声制御変色の発光ダイオード電球。
【請求項１１】
当該電源回路は、整流フィルタ回路と変圧定電圧回路と全周波整流回路とが含有され、三者が順に接続され、当該整流フィルタ回路が電圧を受信し、当該全周波整流回路が、当該信号増幅回路に接続されることを特徴とする請求項９に記載の音声制御変色の発光ダイオード電球。
【請求項１２】
当該灯座は、Ｅ２７標準に符合することを特徴とする請求項１に記載の音声制御変色の発光ダイオード電球。
【請求項１３】
当該灯座は、フィン状の放熱シートが含有されることを特徴とする請求項１に記載の音声制御変色の発光ダイオード電球。
【考案の詳細な説明】
【技術分野】
【０００１】
本考案は、発光ダイオード電球に関し、特に、音声制御変色の発光ダイオード電球に関する。
【背景技術】
【０００２】
発光ダイオード(Light
Emitting Diode、LED)電球は、大電流で発光するまでフィラメントを加熱する従来の白熱電球と異なり、発光ダイオードが、半導体素子で、半導体材料の電子空孔の結合によってエネルギーを放出することにより発光し、そのため、僅かの電流で従来の白熱電球に相当する灯光が得られる。発光ダイオード電球は、体積が小さいや寿命が長い、駆動電圧が低い、発光効率が高い、冷光源、消費電力が少ない、応答速度が速い、耐震性が良い及び単色性が良い等の利点が得られるため、環境保全の光源として注目され、例えば、日常生活において、家用電器や電話機、パネル照明、車の霧灯及び交通信号灯等であり、また、広告灯箱や建築輪郭灯、壁灯、投射灯或いは地下灯等の室外景観照明等に大幅に適用される。
【０００３】
室内照明において、色々の装飾用発光ダイオード電球が登場し、色々の化合物半導体材料と素子とから構成される発光ダイオードの変化により、レッドやオレンジ、イエロー、グリーン、ブルー及びパープル等の色の発光ダイオード電球が設計され、また、配列方式や回路制御により、色々なけばけばしい視覚効果が得られ、芸術照明に適用される。しかしながら、既存の発光ダイオード電球は、一つずつの所定の色の発光ダイオードを緊密に配列することにより、高輝度の単色光が得られ、或いは、多種類の色の複数の発光ダイオード電球を組立て、多彩な電球が形成され、また、回路制御により、当該多彩な電球の発光の色と明暗を調整できるが、当該多彩な電球は、多数の発光ダイオード電球が必要し、体積が大きいため、製品のサイズや実装に限制があり、そのため、製品の市場競争力を向上するには、発光ダイオード電球の構造と機能を改善しなければならない。
【考案の開示】
【考案が解決しようとする課題】
【０００４】
本考案の主な目的は、音声検知により、発光ダイオード電球の発光色と明暗を、外部の音声に従って変化させ、視覚効果が向上される音声制御変色の発光ダイオード電球を提供する。
【０００５】
本考案の他の目的は、セラミック基板により、複数の発光ダイオードチップと制御回路とを統合することにより、製品体積の縮小と放熱の向上との効果が得られる音声制御変色の発光ダイオード電球を提供する。
【課題を解決するための手段】
【０００６】
本考案は、上記の目的を達成するため、電球本体とセラミック基板、複数の発光ダイオードチップ、散乱フィルム、音声検知装置及び制御回路から構成され、電球本体に、灯座と灯座の外部を覆う灯笠があり、セラミック基板が灯座の中に設けられ、セラミック基板の正面に、それぞれ異なる色光を発光する複数の発光ダイオードチップが設けられ、前記の発光ダイオードチップ全体に散乱フィルムが覆われ、異なる色光が、当該散乱フィルムにより、均一に混合されて散乱され、単色光になり、また、灯笠から外部へ発光し、外部の音声信号を検知するための音声検知装置が灯座に設けられ、当該音声検知装置が生成した検知信号をセラミック基板の裏面に設置される制御回路に供給し、制御回路が、検知信号を電気信号に変換し、電気信号に従って発光ダイオードチップの発光強度を制御し、単色光の強さと色変換を調整できる音声制御変色の発光ダイオード電球である。
【０００７】
本考案に係わる音声制御変色の発光ダイオード電球は、標準インターフェースを有する灯座が使用され、直接に、常用の室内照明灯具の灯座を利用できるため、普及に有利である。また、フィン状の放熱シートにより、放熱面積が増大され、発光ダイオード電球の放熱効果が向上されるため、電球使用寿命の向上や環境保全、エネルギーの節約、制御の便利さ、使用安全及び適用できる幅広い交流電圧の入力範囲等の利点が得られる。
【０００８】
また、本考案は、音声の音量の大きさにより輝度を制御し、音声の周波数の高さにより異なる色の発光ダイオードの色変換速度を制御する。そのため、本考案は、音楽の律動や強さに基づく変化により、多様な変化が得られ、家や娯楽場所等で、聴覚と視覚とを巧妙的に一体に融合し、より良い雰囲気を創出できる。
【０００９】
以下、図面を参照しながら、本考案のより良い実施例を挙げてその特徴を詳しく説明する。
【考案を実施するための最良の形態】
【００１０】
図１Ａと図１Ｂは、本考案に係わる実施例の音声制御変色の発光ダイオード電球の外観図と断面図である。
【００１１】
本実施例の音声制御変色の発光ダイオード電球は、電球本体１０とセラミック基板２０、複数の発光ダイオードチップ３０、散乱フィルム４０、音声検知装置５０及び制御回路６０が含有され、電球本体１０は、灯座１１と灯笠１２が含有され、灯座１１は、国際共通のＥ２７標準インターフェースが使用され、放熱面積を大幅に増大するためのフィン状の放熱シート１３が設けられ、また、灯座１１の外側に、外部の音声を検知して検知信号を生成するための音声検知装置５０が設けられ、灯笠１２が灯座１１の外部に覆われ、灯座１１の内部に、セラミック基板２０が設けられ、セラミック基板２０の正面に、それぞれレッド（Ｒ）とグリーン（Ｇ）とブルー（Ｂ）の発光ダイオードである三つの発光ダイオードチップ３０が設けられ、当該発光ダイオードチップ３０全体が、散乱フィルム４０によって覆われ、当該発光ダイオードチップ３０が発出した赤光と緑光と青光が、散乱フィルム４０により均一に混合されて散乱され、単色光になり、また、灯笠１２から外部へ発光し、また、セラミック基板２０の裏面に、発光ダイオードチップ３０と音声検知装置５０に接続される制御回路６０が設けられ、当該制御回路６０は、音声検知装置５０から検知信号を受信して検知信号を電気信号に変換し、そして、当該電気信号に従って、前記の発光ダイオードチップ３０の発光強度を制御し、即ち、音声検知装置５０が検知した音声変化に基づいて、前記の発光ダイオードチップ３０が発光した赤光と緑光と青光の強度比例が異なるため、三者を混合して散乱した単色光の色と明暗が異なり、これにより、多様な視覚変化が得られる。
【００１２】
図２は、本実施例の制御回路の回路構造図である。
【００１３】
制御回路６０は、電源回路６１と信号増幅回路６２、定電流回路６３及び過電流保護回路６４が含有され、電源回路６１と信号増幅回路６２とが接続され、信号増幅回路６２の第１の入力端と音声検知装置５０の音声制御回路５１の出力端とが接続され、音声制御回路５１の出力端と定電流回路６３の入力端とが接続され、定電流回路６３の出力端と発光ダイオードチップ３０とが接続される。過電流保護回路６４の入力端と信号増幅回路６２の出力端とが接続され、過電流保護回路６４の出力端と信号増幅回路６２の第２の入力端とが接続される。また、電源回路６１は、整流フィルタ回路６１１と変圧定電圧回路６１２と全周波整流回路６１３とが、順に接続され、整流フィルタ回路６１１の入力端が、ＡＣ入力電圧６５に接続され、全周波整流回路６１３の出力端と信号増幅回路６２とが接続される。以下、本考案に係わる制御回路の基本ワーク原理を説明する。
【００１４】
ＡＣ入力電圧６５の入力端から８５〜２４０Ｖ ＡＣが入力され、整流フィルタ回路６１１で、入力した８５〜２４０Ｖ
ＡＣを直流に整流して、ノイズを濾過し、また、変圧定電圧回路６１２で、高電圧を６Ｖである低ワーク電圧に変換して、出力する低電圧に対して定電圧し、出力される電位差が６Ｖに保持され、また、全周波整流回路６１３でノイズを濾過してから、電流に対して全周波整流して線形直流にし、そして、音声制御回路５１で制御変換することにより、音声の音量の大きさに基づいて輝度を制御し、音声の周波数の高さに基づいてＲＧＢ三色の発光ダイオードチップ３０の三色変換速度を制御する。音声制御回路５１が出力し絶えずに変化する検知信号は、信号増幅回路６２によって増幅され、信号増幅回路６２により出力される電流の大きさに基づいて、発光ダイオードチップ３０の各色の輝度を制御し、色々の色変化が実現され、例えば、少しずつ変化することや急速的に変化すること等であり、また、音声制御モードは、音声制御回路５１の制御程式を変更することにより変更されることも出来る。過電流保護回路６４により、信号増幅回路６２が出力した電流が制限される。三つの回路が出力した電流は、定電流回路６３により、レッドとグリーンとブルーの発光ダイオードチップ３０へ供給され、これにより、発光する。
【００１５】
また、図３のように、本実施例は、更に、制御回路６０に接続される赤外線装置７０が含有され、当該赤外線装置７０は、赤外線信号を受信し、ユーザーが赤外線リモコン８０で遠隔制御することによって遠隔制御され、また、当該赤外線装置７０から制御回路６０へ制御信号を送信し、制御回路６０は、制御信号に基づいて発光ダイオードチップ３０の発光強度を調整し、或いは、音声検知装置５０から検知信号を受信するかを決定する。即ち、本実施例に係わる音声制御変色の発光ダイオード電球は、赤外線遠隔制御方式により灯光変化が制御され、このモードは、日常照明に使用でき、また、赤外線遠隔制御方式により音声制御モードに切替えることができ、即ち、音声検知方式により灯光を変化し、多彩な視覚効果が得られる。
【００１６】
以上は、ただ、本考案のより良い実施例であり、本考案に係わる実用新案登録請求の範囲は、それによって制限されない。本考案に係わる実用新案登録請求の範囲に従って等価の変更や修正は、全てが本考案に係わる実用新案登録請求の範囲に含まれる。
【図面の簡単な説明】
【００１７】
【図１Ａ】本考案に係わる実施例の音声制御変色の発光ダイオード電球の外観図。
【図１Ｂ】本考案に係わる実施例の音声制御変色の発光ダイオード電球の断面図。
【図２】本考案に係わる実施例の音声制御変色の発光ダイオード電球の制御回路の回路構造図。
【図３】本考案に係わる赤外線装置を有する実施例の断面図。
【符号の説明】
【００１８】
１０  電球本体
１１  灯座
１２  灯笠
１３  放熱シート
２０  セラミック基板
３０  発光ダイオードチップ
４    散乱フィルム
５０  音声検知装置
５１  音声制御回路
６０   制御回路
６１  電源回路
６１１  整流フィルタ回路
６１２  変圧定電圧回路
６１３  全周波整流回路
６２  信号増幅回路
６３  定電流回路
６４  過電流保護回路
６５  ＡＣ入力電圧
７０  赤外線装置
８０  赤外線リモコン
【図１Ａ】
0003118365.tif 000003
【図１Ｂ】
0003118365.tif 000004
【図２】
0003118365.tif 000005
【図３】
0003118365.tif 000006